(57)【特許請求の範囲】
【請求項１】
第１面（１２２）、該第１面と反対側の第２面（１２４）、該第１面と該第２面間にある外部端（１２８）をもつ基板（１０２）、該第１面から該外部端の少なくとも１部に沿って突き出ていて該第１面と節足動物の侵入の可能性のある面との間の封じ込み域（１２０）を定める封じ込み板（１０４）、該第１面と該第２面の間にあり該基板内に開口（１１０）を定める内部端（１２６）、及び該第１面から突き出ていて該外部端から該内部端にのびる軸に実質的に沿って配されていて少なくとも１の封じ込み路（１３２）を定める複数の案内板（１３０）からなることを特徴とする節足動物封じ込み装置。
【請求項２】
接触した後に節足動物により消費され、節足動物によって浸透され、節足動物によって移動され、又は節足動物を殺すことのできる材料が該開口内に配されている請求項１の装置。
【請求項３】
該開口内に配されたステーション（１１４）をもち、該ステーションが該材料をもつ空洞をもつ請求項２の装置。
【請求項４】
第１面と第２面をもつカバー板（１０６）をもち、該カバー板が該カバー板と該基板の間に少なくとも１の受器（１７０）を形成するように該基板に取りつけられている請求項１〜３のいずれか１項の装置。
【請求項５】
該カバー板が該カバー板の該第１面から該受器にのびる少なくとも１の入口（１６６）をもつ請求項４の装置。
【請求項６】
該基板が該受器から該基板の第１面にのびる少なくとも１の出口（１４４）をもつ請求項４又は５の装置。
【請求項７】
該カバー板（１０６）が該入口（１６６）から該カバー板の外端部（１７４）に向けてでる複数の溝板（１７２）をもつ請求項５の装置。
【請求項８】
節足動物の制御を望む地面に請求項１〜７のいずれか１項の節足動物封じ込み装置を置きそれにより該封じ込み板を地面と接触させて該第１面と該地面に最も近い封じ込み域を形成することを特徴とする節足動物の制御方法。
【請求項９】
節足動物の制御を望む地面に請求項１〜７のいずれか１項の節足動物封じ込み装置を置きそれにより該案内板及び該封じ込み板を地面と接触させて該第１面と該地面に最も近い少なくとも１の封じ込み路を形成することを特徴とする節足動物の制御方法。
【発明の詳細な説明】
【０００１】
【発明の属する技術分野】
本発明は白アリ等の節足動物の制御に関し、特に地上に配しまた節足動物の動きを制御したり方向づけたりするために用いうる装置に関する。
【０００２】
【従来の技術とその課題】
白ありは木質構造体を攻撃し破壊する害虫として世界の大部分の地域でよく知られている。地下白ありは周囲の土壌から構造材に進入して構造体の木その他のセルロース質材料や内容物を食する。多年に亘り多くの白あり駆除法が用いられている。これらの方法の一つは白ありから保護すべき構造体下部の土壌に薬剤（即ち白ありを殺すか忌避する物質）を付与することを包含する。この種の処理法は人手を要し土壌汚染の問題を生ずるだけでなく、その付与は白ありの出ぼつに対する適切なバリアとはなり難い。
【０００３】
白あり制御の別の方法として保護すべき構造体の周辺の土壌に木質支柱又は他の適当な白ありのえさを挿入してそれに対する白ありの出ぼつ状態をモニターし、出ぼつを観察した区域の土壌にだけ薬剤を付与する方法がある。この方法は薬剤の使用量を最小化しうるが、他の問題がある。たとえばこのえさの支柱は限られた区域を占めるのが通常でありまた互いにフィートや場合によっては数ヤードに及ぶ距離で互いに離れていることから、構造体のまわりに連続的なバリアをつくることはできない。構造体周囲の湿潤区域のような白ありの攻撃を受けやすい条件とは関係なしに予め決めた間隔でえさ支柱を配した場合には特にいえることだが、土壌中の白ありの多さが第１の場所にえさ支柱を配することを困難にする。また、えさ支柱を除くと白ありがつくった支柱への通路系を混乱させ、支柱を再挿入するとそこへの白ありの流れが混乱しうる。これらの問題はトーン等の米国特許第５，５３９，７２６及び５，５５５，６７２に述べられており、そこには除去可能なえさカートリッジを有するだけでなくハウジングの下への白ありの通路を妨害するとされる多くの拡がりをもつ静止ハウジングを土壌に挿入することが開示されている。
【０００４】
しかし「裸」のえさ支柱と同様、トーン等の装置は典型的にはその表面がそろうように土壌中に完全に挿入される地中装置である。従って、さらなるモニター用に挿入後にこれらの構造体をさがすことがしばしば困難となる。
それ故地下のえさ／薬剤装置よりもさがしやすい装置及び／又はこれらの装置をさがす手段が必要とされている。また地下装置近くにいる白ありを阻止すること及びそれらを同装置に導くことが必要とされている。
【０００５】
【課題を解決するための手段】
本発明は第一に、第１面、第１面と反対側の第２面、及び第１面と第２面の間の外部端をもつ基材を有する節足動物封じ込み装置を提供する。この装置はさらに外部端に沿って第１面から突き出ている封じ込み板（リッジ）を有する。この封じ込み板は第１面に最も近い封じ込み域を定める。好ましい装置では、基板は基板内に開口を定める第１面と第２面の間に内部端をもっており、また所望により、節足動物によって消費され、浸透され又は移動されることができるか又はそれと接触して節足動物を殺すことのできる物質をもつ空洞をもつ開口内に位置するハウジングを有する。本発明の装置はまた第１面から突き出ていて少なくとも１の封じ込み路を定める複数の案内板（リッジ）をもっていてもよい。この案内板は好ましくは外部端から内部端にのびる軸に実質上沿って配される。ある種の封じ込み装置はさらに第１面と第２面をもつカバー板をもち、このカバー板はカバー板と基板間に少なくとも１の受器を形成するように基板に取りつけられている。
【０００６】
本発明はまた第１面及び第１面と反対側の第２面をもつ基板、第１面から突き出ていて少なくとも１の封じ込み域を定めている複数の案内板、及び封じ込み域の少なくとも１部の上に被覆されているか又はそのなかに配されている節足動物の除去剤からなる節足動物封じ込み装置を提供する。
【０００７】
この装置はさらに外部端の少なくとも１部に沿って第１面から突き出ている封じ込み板（リッジ）をもちうる。好ましい装置において、基板は基板内に開口を定める第１面と第２面の間に内部端をもち、また所望により、節足動物によって消費され、浸透され又は移動されることができるか又はそれと接触して節足動物を殺すことのできる物質をもつ空洞をもつ開口内に位置するハウジングを有する。この装置はまた第１面と第２面をもつカバー板をもち、このカバー板はカバー板と基板間に少なくとも１の受器を形成するように基板に取りつけられている。好ましい態様において、本発明の装置は基板の第１面が下方を向き封じ込み板及び／又は案内板が地面と接するように地面上に配される。
【０００８】
【発明の実施の形態】
以上に本発明を図面を用いて説明する。本発明を例証するための図面はいくつかの好ましい態様を示しており、本発明はこれらによって制限されるものではない。
図１及び図２は基板１０２及び封じ込み板１０４からなる本発明の好ましい節足動物封じ込み装置１００を示す。基板１０２は第１面１２２と第１面１２２とは実質上反対側にある第２面１２４をもつ。好ましくは基板１０２は約０．０６インチ〜約６インチの厚さ（即ち第１面１２２と第２面１２４の間の距離）をもつ。図１及び図２に示す態様において、第１面１２２と第２面１２４は共に実質上平坦且つ平行であるが、そのことは必須ではない。
【０００９】
基板１０２は第１面１２２と第２面１２４の間に外部端１２８をもつ。封じ込み板１０４は第１面１２２から外部端１２８の少なくとも１部に沿って突き出ており、第１面１２２に最も近い封じ込み域１２０の外側周辺を定めている。図１における外部端１２８は円形だが、そのことは必須ではない。外部端１２８は四角（図５）、三角又は他の適宜の密封平坦形状を有しうる。好ましい節足動物封じ込み装置１００は約１〜約２４インチ、より好ましくは約５〜約９インチの半径ｒをもつ。外部端１２８が非円形である態様では、基板１０２を横断する距離は好ましくは約２〜約５０インチ、より好ましくは約１０〜約２０インチである。
【００１０】
封じ込み板１０４は幅ｗをもち、第１面１２２から距離ｄ突き出ている。幅ｗは好ましくは約０．０３〜約０．５インチであり、距離ｄは好ましくは約０．１〜約０．５インチである。より好ましくは幅ｗは約０．１〜約０．２インチ、距離ｄは約０．２〜約０．３インチである。
【００１１】
封じ込み装置１００は適宜の湿分透過性又は湿分不透過性材料からつくりうる。これら材料の非限定的な例としてはプラスチック（即ち合成ポリマー）、木、プラスター、コンクリート、アスファルト、タイル、レンガ、石、セラミック、金属、硬質ポリマー発泡体、２以上の材料の複合体、及び適当なシート材の積層体がある。装置１００は硬質又は可撓性のプラスチックからつくられることが好ましく、特にポリエチレン製が好ましい。節足動物封じ込み装置１００は圧縮成形、注型、押出その他の手段で成形でき、いくつかの部品から組立てうる。
【００１２】
白ありその他の節足動物を封じ込み域１２０に導くために、第１面１２２が地面又は白ありの侵入が予測される他の適宜の場所を向くように装置１００を配する。つまり、封じ込み域１２０は節足動物封じ込み装置の下方に位置する。この装置１００は湿分が白あり等の節足動物を引き寄せるので、地面に置く際湿分を保持するに足るサイズと大きさをもつことが好ましい。しかしこの装置１００はたとえばあり、ごきぶり、スズメバチ、ミツバチ、ジガバチ、サソリ等の広範な他の節足動物を引き寄せるためにも用いうる。
【００１３】
封じ込み域１２０にきた節足動物をつかまえるため封じ込み域の少なくとも１部に節足動物防除剤を塗布することができ、また封じ込み域内に浸透性材料１１２を配置することもできる。本発明で用いうる節足動物防除剤は節足動物が消費したり節足動物と接触して節足動物を殺したり忌避する適宜の物質である。好ましい防除剤の例としてはスルフルラミド、ヒドラメチルノン、イミダクロプリド、キチン阻害剤、幼虫ホルモン同族体、生理活性剤（たとえばスポア、ミセリウム、トキシン）、ピレスロイド、ホウ酸塩、プロタゾアシド及び抗菌剤がある。
【００１４】
本発明で用いうる浸透性材料の例としては木、おがくず、硬質発泡体及び節足動物によって動かされたり、移動されたり、そのなかにもぐり込まれたり、消化されたりする他の適宜の物質がある。従って浸透性材料には節足動物によって消化されたり接触されたりする防除剤も含まれまた防除剤で処理された浸透性材料等も含まれる。
【００１５】
浸透性材料１１２は好ましくは、封じ込み域１２０にきた節足動物が浸透性材料１１２と接触するような位置に配される。この接触には節足動物による同材料の消費、浸透性材料中への節足動物の入り込みや１の場所から別の場所への同材料の移動等も含まれる。
【００１６】
図３及び図４は本発明の節足動物封じ込み装置１００の別の好ましい態様を示す。図３及び図４に示すように、基板１０２は第１面１２２と第２面１２４の間に開口１１０を定めている内部端１２６をもつ。封じ込み域１２０にきた節足動物をつかまえるために開口１１０内に浸透性材料１１２を配しうる。たとえば上記したように、地上に節足動物封じ込み装置１００を配した後に、（所望により節足動物防除剤で処理した木製ドエルを開口１１０を通して地中に挿入してもよい。
【００１７】
ある態様では、封じ込み装置１００を節足動物用えさ／モニター用ステーション１１４と共に用いうる。ステーション１１４は典型的には開口と内部空洞をもちそこに節足動物と接触して、消費されたり、浸透されたり、移動されたり、節足動物を殺したりしうる材料を配する。使用に当り、節足動物封じ込み装置１００は、ステーション１１４が開口１１０内のどこかに位置するように地上に配される。つまり節足動物封じ込み装置１１０の湿った足型（ｆｏｏｔｐｒｉｎｔ）がステーション１１４が置かれた領域に節足動物を引く寄せ、ステーション１１４内、材料（たとえば浸透性材料１１２）が節足動物をステーション１１４内の封じ込み域１２０にきた節足動物を引きつける。また節足動物封じ込み装置１００は地上にあるので、ステーション１１４を置く際の害虫制御者の助けになる。
【００１８】
内部端１〜６の形状は臨界的ではない。図３及び図４に示すように、好ましくは、内部端（及び、それに従い、開口１１０）は円形である。開口１１０は適宜のサイズのものでよいが、たとえば浸透性材料１１２又はえさ／モニター用ステーション１１４を用いうるに足るものであるべきである。
【００１９】
図５は第１面１２２から突き出た複数の案内板１３０をもつ１の節足動物封じ込み装置１００の平面図であり、この案内板は少なくとも１の封じ込みチャネル１３２を定める。案内板１３０は第１面１２２から突き出ている限り本質的には適宜のサイズと形状をもちうる。たとえば封じ込みチャネル１３２よりかなり幅が広くてよい。この態様において、封じ込みチャネル１３２は基板１０２の第１面１２２にほられた溝のようにみえる。
【００２０】
好ましくは、節足動物封じ込み装置１００は８個の案内板１３０をもつ。開口１１０をもつ好ましい装置において、各案内板１３０は外部端１２８から内部端１２６にのびる軸に実質上沿っていることが好ましい。案内板１３０は内部端１２６から外部端１２８の全長に亘って第１面１２２を横断していることが好ましいが、これは必須ではない。案内板は好ましくは深さが約０．１〜約０．５インチ、より好ましくは約０．２〜約０．３インチ、幅が約０．０３〜約０．５インチ、より好ましくは約０．１〜約０．２インチである。案内板１３０の幅は、好ましくは約０．０３〜約０．２インチ、より好ましくは約０．０５〜約０．１インチの幅をもつ封じ込みチャネル１３２の幅と逆にかわる。
【００２１】
図５に示すように、案内板１３０は、隣接の案内板間に封じ込みチャネル１３２を形成するよう内部端１２６から一定の等しい角度の半径をもちうる。案内板１３０は、開口１１０内に位置するえさ／モニター用ステーション１１４等の予め決めた位置の方に封じ込みチャネル１３２に沿って節足動物を方向づけるものと思われる。複数の案内板１３０をもつ節足動物封じ込み装置１００は節足動物の方向づけを促すために外部端１２８に沿って配した封じ込み板１０４をもっていてもよい。
封じ込みチャネル１３２は開放状態でも、防除剤を塗布していても、また前記タイプの浸透性材料を充填していてもよい。浸透性材料１１２は所望により節足動物を所望の位置に速かに導くえさを含みうる。
【００２２】
図６及び図７は受器１７０をもつ節足動物封じ込み装置１００の好ましい態様を示す。カバー板１０６が基板１０２にとりつけられ、第１面１６４と第２面１６２をもっている。カバー板１０６は基板１０２の第２面１２４とカバー板１０６の第２面１６２の間に少なくとも１の受器１７０を形成するように基板１０２にとりつけられる。好ましくは、カバー板１０６と基板１０２は受器１７０を形成する少なくとも１の中空内部をもつ単一片のプラスチックから形成される。しかし、カバー板１０６は壁１０８を介して基板１０２にとりつけられていてもよい。
【００２３】
受器１７０はたとえば雨水や液状のえさのような流体を保持する。好ましくは、基板１０２は受器１７０から第１面１２２にのびる少なくとも１の出口１４４をもつ。出口１４４は受器１７０に保持した流体を徐々に封じ込み域１２０に移行させて節足動物封じ込み装置１００が湿分足型を維持するのを助ける。図６及び図７に示すように、基板１０２は複数の出口１４４又は穴をもちうる。同様に、カバー板１０６は第１面１６４から受器１７０にのびる少なくとも１の入口１６６をもち、これは雨水等の液体が第１面から受器に移る助けをする。図６及び図７に示すように、入口１６６はカバー板１０６の内部端１６８に近隣するスロットでありうる。スロットは、図示するように円形で周辺を画している開口１１０が好ましいが、そのことは必須ではない。入口１６６はカバー板１０６を打つ雨水が受器１７０中に流れるようにする。または入口１６６は人が入口１６６を介して受器１７０に水等の流体を単純に流し込むことを可能にする。
【００２４】
図６及び図７に示すように、カバー板は入口１６６からカバー板の外部端１７４に向けてのびる複数の溝板（ｇｕｔｔｅｒ  ｒｉｄｇｅ）１７２ももちうる。溝板１７２はカバー板１０６を打ち雨水を入口１６６に、従って受器１７０に向ける助けをする溝１７３を形成する。溝板１７２は好ましくは深さが約０．１〜約０．５インチ、幅が約０．０３〜約０．５インチ、より好ましくは深さが約０．２〜約０．３インチ、幅が約０．１〜約０．２インチである。カバー板は雨水等の液体が第１面１６２を下り簡単に入口１６６に流れるように凹形（即ちその端で基板１０２から曲がってはなれていく）でありうる。最後に、節足動物封じ込み装置１００はカバー板１０６に複数の入口１６６、又は穴をもちうる。
【００２５】
好ましい態様において、溝板１７２は外部端１７４から入口１６６へ、又はカバー板１０６の第１面１６４からのび外部端１７４の少なくとも１部に沿っている板（ｒｉｄｇｅ）１７８へ等角度で広がっている。溝１７６は放射状のスロット又は板から雨水をつかまえて円形スロット又は板に向けさらにこれを受器に向ける。好ましくは板１７８は深さが約０．２〜約０．３インチ、幅が約０．１〜約０．２インチであるが、深さが約０．１〜約０．５インチまた幅が約０．０３〜約０．５インチの範囲でもよい。
【００２６】
当業者は上記した本発明の好ましい態様を本発明の技術思想内で適宜変更しうる。従って請求項は本発明の技術思想と範囲に入るすべての均等的変更も包含するものである。
【図面の簡単な説明】
【図１】  本発明の好ましい節足動物封じ込み装置の斜視図。
【図２】  図１の装置のＩＩ−ＩＩ線に沿った断面図。
【図３】  本発明の別の好ましい節足動物封じ込み装置の斜視図。
【図４】  図３の装置のＩＶ−ＩＶ線に沿った断面図。
【図５】  基板の第１面に向けて見た好ましい節足動物封じ込み装置の平面図。
【図６】  受器をもつ好ましい節足動物封じ込み装置の斜視図。
【図７】  図６のＶＩＩ−ＶＩＩ線に沿った断面図。
【符号の説明】
１００  節足動物封じ込み装置
１０２  基板
１０４  封じ込み板
１１０  開口
１１２  浸透性材料
１２０  封じ込み域
１２２  第１面
１２４  第２面
１２６  内部端
１２８  外部端
１３０  案内板
１３２  封じ込みチャネル
【図１】
0004480892.tif 000002
【図２】
0004480892.tif 000003
【図３】
0004480892.tif 000004
【図４】
0004480892.tif 000005
【図５】
0004480892.tif 000006
【図６】
0004480892.tif 000007
【図７】
0004480892.tif 000008